【手続補正書】
【提出日】平成20年11月11日(2008.11.11)
【手続補正１】
【補正対象書類名】特許請求の範囲
【補正対象項目名】全文
【補正方法】変更
【補正の内容】
【特許請求の範囲】
【請求項１】
椅子の背凭れ部等に使用される可撓性を有する椅子用基板であって、上部領域と下部領域とそれらの間の中間部領域とからなり、前記上部領域と下部領域の全面に、ほぼ等寸の多数の孔を、ほぼ均一に設け、かつ前記中間部領域の全面に、前記上部領域と下部領域の孔よりも横方向の幅が大きい多数の孔を、ほぼ均等に分布して設けたことを特徴とする椅子用基板。
【請求項２】
上部領域と下部領域とに設けた孔を、横拡がりの六角形のものとし、中間部領域に設けた孔を、前記六角形の孔と同形をなす孔を横方向に連続するように複数連結したものとした請求項１記載の椅子用基板。
【請求項３】
上部領域と中間部領域の両側部と下部領域の下部の肉厚を大とし、かつそれらによって囲まれる上部領域と中間部領域との中央部分の肉厚を薄くした請求項１または２記載の椅子用基板。
【請求項４】
中間部領域の左右両側部に、表裏の一方へ突出する側面視ほぼＵ字状断面をなす薄肉の複数の湾曲可撓部を設けてなる請求項１〜３のいずれかに記載の椅子用基板。
【請求項５】
上部領域と中間部領域と下部領域を、合成樹脂材により一体成形した請求項１〜４のいずれかに記載の椅子用基板。
【手続補正２】
【補正対象書類名】明細書
【補正対象項目名】全文
【補正方法】変更
【補正の内容】
【発明の詳細な説明】
【発明の名称】椅子用基板
【技術分野】
【０００１】
本発明は、椅子用基板に係り、特に背凭れ用に適し、着座者の背中の形状に対応して変形するようにした椅子用基板に関する。
【背景技術】
【０００２】
一般に、椅子の背凭れ用の基板は、着座者の背中に合せて、平面視で円弧形に湾曲した支持面を有していることが望ましい。着座者の背中に合せて平面視で円弧形に撓み易くした支持面を形成するようにした椅子の背凭れ用の基板の例は、従来幾つかが知られている（例えば、特許文献１、特許文献２参照）。
【特許文献１】特開平１２−２７０９６２号公報
【特許文献２】特開平１３−１２８７８８号公報
【発明の開示】
【発明が解決しようとする課題】
【０００３】
特許文献１及び特許文献２に記載されている背凭れ用基板は、着座者の背中に合せて、円弧形に撓み易くするようにした手段を有してはいるが、着座者の背中が主として当たる中間部分での撓み性が十分でなく、座り心地を改善する余地が残されている。
【０００４】
本発明は、上述のような従来の問題を解決するためになされたもので、着座者が背凭れ部等に凭れた時、椅子用基板が好ましい形状に撓み易くし、もって、着座者の背中等を圧迫することなく、着座者の体型に合わせて、より身体にフィットでき、快適な着座感を得ることができるようにした椅子用基板を提供することを目的としている。
【課題を解決するための手段】
【０００５】
本発明によると、上記課題は、次のようにして解決される。
（１）椅子の背凭れ部等に使用される可撓性を有する椅子用基板であって、上部領域と下部領域とそれらの間の中間部領域とからなり、前記上部領域と下部領域の全面に、ほぼ等寸の多数の孔を、ほぼ均一に設け、かつ前記中間部領域の全面に、前記上部領域と下部領域の孔よりも横方向の幅が大きい多数の孔を、ほぼ均等に分布して設ける。
【０００６】
（２）上記(１)項において、上部領域と下部領域とに設けた孔を、横拡がりの六角形のものとし、中間部領域に設けた孔を、前記六角形の孔と同形をなす孔を横方向に連続するように複数連結したものとする。
【０００７】
（３）上記(１)または(２)項において、上部領域と中間部領域の両側部と下部領域の下部の肉厚を大とし、かつそれらによって囲まれる上部領域と中間部領域との中央部分の肉厚を薄くする。
【０００８】
（４）上記(１)〜(３)項のいずれかにおいて、中間部領域の左右両側部に、表裏の一方へ突出する側面視ほぼＵ字状断面をなす薄肉の複数の湾曲可撓部を設ける。
【０００９】
（５）上記(１)〜(４)項のいずれかにおいて、上部領域と中間部領域と下部領域を、合成樹脂材により一体成形する。
【発明の効果】
【００１０】
請求項１記載の発明によると、中間部領域の撓み剛性が小さいため、着座者が背凭れ部に凭れたとき、椅子用基板は上部領域と下部領域よりも、中間部領域が撓み易くなる。従って、背中が最も当たる中間部領域が、着座者の背中の形状に対応して容易に変形することにより、着座者の背中等を圧迫することがなく、快適な着座感を得ることができる。
【００１１】
請求項２記載の発明によると、中間部領域に設けた孔は、上部領域と下部領域の孔を横方向に複数連結された形状となっているので、上部領域と下部領域よりも、着座者の背中が強く当たる中間部領域がより撓み易くなる。
また、形状が同一の多数の孔がほぼ均一に並ぶので、基板の見栄えが向上する。
【００１２】
請求項３記載の発明によると、着座者の背中が最もよく当たる基板の中央上部の撓み剛性が小さくなり、後方に撓み易くなるので、より快適な着座感が得られる。
【００１３】
請求項４記載の発明によると、中間部領域の両側部が、Ｕ字状の湾曲可撓部を中心として屈撓及び伸縮するので、着座感がさらに快適となる。
【００１４】
請求項５記載の発明によると、多数の孔を有する基板を合成樹脂材により簡単に成形することができるので、コスト低減に寄与する。
【発明を実施するための最良の形態】
【００１５】
以下、本発明を背凭れに適用した一実施形態を、図面に基づいて説明する。
図１は、本発明の椅子用基板を備える椅子の後面図、図２は、同じく側面図、図３は、椅子用基板単体の拡大正面図、図４は、図３におけるIＶ−IＶ線縦断側面図である。
【００１６】
背凭れに用いられる椅子用基板(１)は、金属製または合成樹脂製のシェル(深絞りによる薄板構造部)からなり、外周部である背枠(２)により囲まれた内方の背当たり面(３)は、正面視において前方に凹状円弧形に屈曲された上部領域(４)と、腰部付近が前方へ突出した下部領域(６)と、上部領域(４)と下部領域(６)との間を繋ぐ中間部領域(５)とからなっている。
【００１７】
上部領域(４)と下部領域(６)には、同形状の目の細かい打抜網目(７)が、中間部領域(５)には、目の粗い打抜網目(８)が、それぞれ形成されている。
【００１８】
椅子用基板(１)は、椅子後部の枠状をなす背フレーム(９)における左右の側杆(10)(10)の前面に、背枠(２)の上下の端部に後向きに突設した左右１対の上部取付部(11)と下部取付部(12)によって取り付けられている。
【００１９】
中間部領域(５)は、主として着座者の背中の中央部を支持する部分を、上部領域(４)は、主として背中の上部から肩を支持する部分を、下部領域(６)は、主として着座者の腰部を支持する部分である。
【００２０】
中間部領域(５)の左右両側端の上下方向の中間部と背枠(２)の両側部との連設部には、図４に示すように、椅子用基板(１)の表面へ突出する側面視が前向きＵ字状をなす薄肉の上下３個の湾曲可撓部(13)が一体的に形成され、このＵ字状の湾曲可撓部(13)を中心として、中間部領域(５)と背枠(２)の両側部との連設部が屈撓及び伸縮するようにしてある。
【００２１】
上部領域(４)と下部領域(６)の各打抜網目(７)の各孔(14)は、横拡がりの六角形で、図３に示すように、上下左右及びＸ線上に並ぶように形成されている。これにより、上下の領域(４)(６)は、背中の形状に対応して、無理なく屈撓することができる。なお、各打抜網目(７)の可撓性は、肉厚の調整、あるいは形状の選定によって適宜に変化させることができる。
【００２２】
中間部領域(５)の打抜網目(８)の孔(15)は、上部領域(４)及び下部領域(６)の各打抜網目(７)の孔(14)を、横方向に３個連結し、隣接する隔壁を開口した横方向の開口幅が大きい形状をなし、左右方向に一直線上に並ぶとともに、上下方向には２分の１ピッチずつ横方向にずらして、ほぼ均等に分布するように形成されている。これにより、中間部領域(５)は、上下の領域(４)(６)よりも撓み剛性が小さくなり、撓み易くなる。なお、打抜網目(８)の可撓性も、肉厚や、打抜網目(７)の各孔(14)の連結数等を変更することにより、適宜変化させることができる。
【００２３】
図３においてＵ字状の細線(Ｌ)により囲まれた椅子用基板(１)の内方、すなわち、主として着座者の腰より上方の背中の中央上部が当たる上部領域(４)と中間部領域(５)との中央部分の肉厚を、他の部分、すなわち上部領域(４)と中間部領域(５)の左右両側部と、それと連続する下部領域(５)の両側部及び下部の肉厚よりも薄くしている。
【００２４】
この実施形態では、図５に示すように、細線(Ｌ)により囲まれた部分の肉厚(t1)を約３mm、それ以外の部分の肉厚(t2)を約４mmとしてあり、細線(Ｌ)で囲まれた部分の前面を、後方に凹ませてある。
【００２５】
以上説明したように、上記実施形態によると、中間部領域(５)の打抜網目(８)の孔(15)は、上部領域(４)及び下部領域(６)の打抜網目(７)の各孔(14)に比べて、横方向の開口幅が大きく、打抜網目(８)が粗く形成されているので、上下の領域(４)(６)よりも撓み剛性が小さく、中間部領域(５)は撓み易くなる。また、着座者の腰より上方の背中の中央上部が当たる部分の肉厚を薄くしているため、着座者の主として背中の中央部が当たる中間部領域(５)が、背中の形状に対応して容易に変形し、着座者の肩や腰が当たり、剛性を若干大とし、荷重を強くする必要のある上部領域(４)と下部領域(６)においては、撓みにくくなる。これにより、背中全体を、最も好ましい状態で支持し得るようになり、快適な着座感が得られる。
【００２６】
本発明は、背凭れ用の基板に限定されるものではなく、座体やベッド等の基板にも適用することができる。
【図面の簡単な説明】
【００２７】
【図１】本発明の一実施形態を備える椅子の後面図である。
【図２】同じく、椅子の側面図である。
【図３】同じく、椅子用基板の正面図である。
【図４】図３におけるIＶ−IＶ線縦断側面図である。
【図５】図４におけるＶ−Ｖ線拡大横断平面図である。
【符号の説明】
【００２８】
(１)椅子用基板
(２)背枠
(３)背当たり面
(４)上部領域
(５)中間部領域
(６)下部領域
(７)(８)打抜網目
(９)背フレーム
(10)側杆
(11)上部取付部
(12)下部取付部
(13)湾曲可撓部
(14)(15)孔
(Ｌ)細線
(t1)(t2)肉厚